(57)【要約】【課題】間取りを自由に変えることができる建築模型組立セットを提供する。【解決手段】基板１３が、表面に所定の基本長さの間隔で縦方向および横方向に格子状に設けられた複数の溝２４を有している。壁構成板１１，１２が、透明な合成樹脂板から成り、厚さ方向で基板１３の各溝２４に嵌合可能である。壁構成板１１，１２は、表面に基本長さまたはその倍数の間隔で、縦方向および横方向に格子状に設けられた複数の切込２１，２２を有している。壁シート１４が、窓に対応する位置に窓用穴１４ａを有している。壁シート１４は、壁構成板１１，１２に貼付可能に設けられている。【選択図】図４
0003119923.tif 000002
【実用新案登録請求の範囲】
【請求項１】
基板と壁構成板と壁シートとを有し、
前記基板は表面に所定の基本長さの間隔で縦方向および横方向に格子状に設けられた複数の溝を有し、
前記壁構成板は透明な合成樹脂板から成り、厚さ方向で前記基板の各溝に嵌合可能であり、表面に前記基本長さまたはその倍数の間隔で、縦方向および横方向に格子状に設けられた複数の切込を有し、
前記壁シートは、窓に対応する位置に窓用穴を有し、前記壁構成板に貼付可能に設けられていることを、
特徴とする建築模型組立セット。
【請求項２】
前記壁構成板は矩形状で、前記基板の各溝の幅より大きい厚みを有し、底縁部に前記基板の各溝に嵌合可能な厚さおよび各溝の深さと同じ高さに形成された嵌合部を有していることを、
特徴とする請求項１記載の建築模型組立セット。
【請求項３】
板割部材を有し、
前記板割部材は、二つ折りにするための第１谷線部と、前記第１谷線部の一方の側に前記第１谷線部に対して垂直に設けられた第２谷線部と、前記第１谷線部の他方の側の前記第２谷線部に対応する位置に、前記第１谷線部に対して垂直方向に伸びて設けられた折曲孔と、前記第２谷線部の両側に前記第１谷線部に沿って、前記第２谷線部を中心として前記基本長さの間隔で付された複数の目盛とを有していることを、
特徴とする請求項１または２記載の建築模型組立セット。
【考案の詳細な説明】
【技術分野】
【０００１】
本考案は、建築模型組立セットに関する。
【背景技術】
【０００２】
従来、住宅などの建築物の完成イメージを伝えるために、コンピュータを利用した３次元グラフィックモデルが使用されている。しかし、３次元グラフィックモデルでは、臨場感に乏しく、実感がわきにくいという問題があった。この問題を解決するために、建築用の模型が提案されている。従来の建築用の模型として、建築用設計図面から間取りボード、外壁ボード、内壁ボードを作成し、間取りボード上に外壁ボードおよび内壁ボードを接着して立設するものがある（例えば、特許文献１参照）。
【０００３】
【特許文献１】特開平７−１２１１０５号公報
【考案の開示】
【考案が解決しようとする課題】
【０００４】
しかしながら、特許文献１記載の建築用の模型では、設計図面に基づいた模型しか組み立てることができず、間取りを変えることができないという課題があった。
【０００５】
本考案は、このような従来の課題に着目してなされたもので、間取りを自由に変えることができる建築模型組立セットを提供することを目的とする。
【課題を解決するための手段】
【０００６】
上記目的を達成するために、本考案に係る建築模型組立セットは、基板と壁構成板と壁シートとを有し、前記基板は表面に所定の基本長さの間隔で縦方向および横方向に格子状に設けられた複数の溝を有し、前記壁構成板は透明な合成樹脂板から成り、厚さ方向で前記基板の各溝に嵌合可能であり、表面に前記基本長さまたはその倍数の間隔で、縦方向および横方向に格子状に設けられた複数の切込を有し、前記壁シートは、窓に対応する位置に窓用穴を有し、前記壁構成板に貼付可能に設けられていることを、特徴とする。
【０００７】
本考案に係る建築模型組立セットは、建築模型を組み立てるために、まず、壁構成板を各切込で割る。このとき、各切込が、壁構成板の表面に、所定の基本長さまたはその倍数の間隔で、縦方向および横方向に格子状に設けられているため、基本長さまたはその倍数の長さの辺で構成される複数種類の大きさの矩形または正方形の部分に分割することができる。なお、基本長さとして、建築物の間取りの最小長さ単位を使用するのが好ましく、例えば、和風住宅では半間、洋風住宅や輸入住宅では１メートルを使用するのが好ましい。
【０００８】
壁構成板を分割した部分を壁板として、厚さ方向で基板の表面の溝に嵌める。各溝が、基本長さの間隔で縦方向および横方向に格子状に設けられているため、建築用の設計図面に合わせて壁板を嵌めることができる。また、壁構成板を複数種類の大きさの壁板に分割することができ、何度でも壁板を基板の溝に嵌めたり溝から外したりすることができるため、間取りを自由に変えて、様々なレイアウトの建築模型を組み立てることができる。
【０００９】
壁構成板が透明な合成樹脂板から成るため、窓に対応する位置に窓用穴を有する壁シートを貼ることにより、実際の窓と同じように透明な窓にすることができる。このため、窓からの視界や窓の位置を容易に確認することができる。壁シートは、表面に壁の模様が表示されていることが好ましい。この場合、より臨場感のある建築模型を組み立てることができる。なお、壁構成板は、特に、透明なアクリル樹脂板から成ることが好ましい。切込は、壁構成板の両面に設けられていてもよい。壁シートは、壁構成板に対して着脱可能であることが好ましい。
【００１０】
本考案に係る建築模型組立セットで、前記壁構成板は矩形状で、前記基板の各溝の幅より大きい厚みを有し、底縁部に前記基板の各溝に嵌合可能な厚さおよび各溝の深さと同じ高さに形成された嵌合部を有していることが好ましい。
【００１１】
この壁構成板が嵌合部を有する場合、実際の建物の外壁の厚さや内壁の厚さに対応した縮尺の厚みを有する複数種類の壁構成板を用意することにより、より臨場感のある建築模型を組み立てることができる。例えば、壁構成板の厚さを、実際の建物の外壁の厚さに対応した縮尺で形成し、壁構成板を各切込で分割した部分を外壁板として使用することができる。外壁板は、基板の各溝に嵌合可能な厚さおよび各溝の深さと同じ高さに形成された嵌合部で、基板の溝に嵌めることができる。
【００１２】
本考案に係る建築模型組立セットは、板割部材を有し、前記板割部材は、二つ折りにするための第１谷線部と、前記第１谷線部の一方の側に前記第１谷線部に対して垂直に設けられた第２谷線部と、前記第１谷線部の他方の側の前記第２谷線部に対応する位置に、前記第１谷線部に対して垂直方向に伸びて設けられた折曲孔と、前記第２谷線部の両側に前記第１谷線部に沿って、前記第２谷線部を中心として前記基本長さの間隔で付された複数の目盛とを有していることが好ましい。
【００１３】
この板割部材を有する場合、板割部材の第１谷線部の一方の側に、壁構成板を、割る予定の切込を第２谷線部に合わせるように置く。このとき、目盛が第２谷線部を中心として基本長さの間隔で付されているため、壁構成板の側辺を目盛に合わせることにより、切込を容易に第２谷線部に合わせることができる。板割部材を第１谷線部で二つ折りにし、折曲孔を内側にするようにして、第２谷線部および折曲孔の位置でさらに四つ折りにする。これにより、第２谷線部に合わせた切込で、壁構成板を容易に割ることができる。折曲孔を内側にするよう四つ折りにするため、切込が板割部材に覆われて、破片が飛び散ったり、手を負傷したりするのを防ぐことができる。
【考案の効果】
【００１４】
本考案によれば、間取りを自由に変えることができる建築模型組立セットを提供することができる。
【考案を実施するための最良の形態】
【００１５】
以下、図面に基づき本考案の実施の形態について説明する。
図１乃至図７は、本考案の実施の形態の建築模型組立セットを示している。
図１乃至図５に示すように、建築模型組立セットは、２種類の壁構成板１１，１２と基板１３と壁シート１４と板割部材１５とを有している。
【００１６】
図１および図２に示すように、各壁構成板１１，１２は、矩形状で透明なアクリル樹脂板から成っている。壁構成板１１は、建築物の間取りの最小長さ単位に対する基本長さの縮尺により、実際の建物の内壁の厚さに対応した厚さで形成されている。また、壁構成板１２は、建築物の間取りの最小長さ単位に対する基本長さの縮尺により、実際の建物の外壁の厚さに対応した厚さで形成されている。壁構成板１２は、壁構成板１１の厚みより大きい厚みを有している。
【００１７】
各壁構成板１１，１２は、表面に、建築物の間取りの最小長さ単位に対応した基本長さまたはその倍数の間隔で、長さ方向および幅方向に格子状に設けられた複数の切込２１，２２を有している。各切込２１，２２は、断面がＶ字形状を成し、それぞれ各壁構成板１１，１２の厚さの半分程度の深さを有している。壁構成板１２は、底縁部１２ａに壁構成板１１の厚さと同じ厚さに形成された嵌合部２３を有している。
【００１８】
図３に示すように、基板１３は、正方形のアクリル板またはアルミニウム板から成っている。基板１３は、表面に、壁構成板１１および壁構成板１２の嵌合部２３を厚さ方向で嵌合可能に、基本長さの間隔で縦方向および横方向に格子状に設けられた複数の溝２４を有している。各溝２４は、断面がほぼ正方形状を成し、壁構成板１２の嵌合部２３の高さと同じ深さで、基板１３の厚さの半分より深く形成されている。また、基板１３は、溝２４の端に沿って、基本長さまたはその倍数の間隔で、縦方向および横方向に格子状に設けられた複数の基板用切込２５を有している。各基板用切込２５は、断面がＶ字形状を成し、基板１３の溝２４の部分での厚さの半分程度の深さを有している。なお、基板用切込２５は、基板１３の両面に設けられていてもよい。
【００１９】
図４に示すように、壁シート１４は、表面に壁の模様が印刷され、窓に対応する位置に窓用穴１４ａを有している。壁シート１４は、各壁構成板１１，１２に貼付可能に設けられている。壁シート１４は、各壁構成板１１，１２に対して着脱可能である。
【００２０】
図５（ａ）に示すように、板割部材１５は、細長い矩形状を成し、第１谷線部２６と第２谷線部２７と折曲孔２８と４枚の板材２９と複数の目盛３０とを有している。第１谷線部２６は、幅方向の中央に、長さ方向に沿って設けられている。第２谷線部２７は、第１谷線部２６の一方の側１５ａに、第１谷線部２６に対して垂直に設けられている。折曲孔２８は、第１谷線部２６の他方の側１５ｂの第２谷線部２７に対応する位置に、第１谷線部２６に対して垂直方向に伸びて設けられている。折曲孔２８は、板割部材１５の他方の側１５ｂの側縁部と第１谷線部２６との間に収まるよう、細長く、厚みを貫通して設けられている。
【００２１】
４枚の板材２９は、矩形状でやや厚く、折り曲げにくい剛性を有する素材から成っている。各板材２９は、板割部材１５の表面の、第１谷線部２６、第２谷線部２７および折曲孔２８で区画された４つの領域に、それぞれ互いに間隔を開けて貼り付けられている。複数の目盛３０は、第２谷線部２７の両側の各板材２９の表面に、第１谷線部２６に沿って、第２谷線部２７を中心として基本長さの間隔で付されている。各目盛３０には、第２谷線部２７からの距離を建築物の実際の長さに換算した値が付されている。板割部材１５は、第１谷線部２６で二つ折り可能であり、さらに第２谷線部２７および折曲孔２８で四つ折り可能になっている。
【００２２】
なお、具体的な一例では、建築物の間取りの最小長さ単位を半間とし、基本長さを３ｃｍに設定している。基板１３は、一辺が３０ｃｍの正方形から成り、溝２４の幅および深さが３〜５ｍｍである。板割部材１５の各目盛３０には、建築物の実際の長さの換算値の概数として、９０，１８０等と付されている。
【００２３】
次に、作用について説明する。
建築模型組立セットは、建築模型を組み立てるために、まず、各壁構成板１１，１２を、各切込２１，２２で割る。このとき、図５（ｂ）に示すように、板割部材１５の第１谷線部２６の一方の側１５ａに、各壁構成板１１，１２を、割る予定の切込２１，２２を第２谷線部２７に合わせるように置く。このとき、目盛３０が第２谷線部２７を中心として基本長さの間隔で付されているため、各壁構成板１１，１２の側辺を目盛３０に合わせることにより、各切込２１，２２を容易に第２谷線部２７に合わせることができる。
【００２４】
各壁構成板１１，１２を置いたならば、図５（ｃ）および（ｄ）に示すように、板割部材１５を第１谷線部２６で二つ折りにする。さらに、図５（ｅ）に示すように、折曲孔２８を内側にするようにして、第２谷線部２７および折曲孔２８の位置で四つ折りにする。これにより、第２谷線部２７に合わせた各切込２１，２２で、各壁構成板１１，１２を容易に割ることができる。折曲孔２８を内側にするよう四つ折りにするため、各切込２１，２２が板割部材１５に覆われて、破片が飛び散ったり、手を負傷したりするのを防ぐことができる。
【００２５】
こうして、各切込２１，２２が、各壁構成板１１，１２の表面に、建築物の間取りの最小長さ単位に対応した基本長さまたはその倍数の間隔で、長さ方向および幅方向に格子状に設けられているため、基本長さまたはその倍数の長さの辺で構成される複数種類の大きさの矩形または正方形の部分に分割することができる。
【００２６】
図６に示すように、壁構成板１１を各切込２１で分割した部分を内壁板３１として、厚さ方向で基板１３の表面の溝２４に嵌める。また、図７に示すように、壁構成板１２を各切込２２で分割した部分を外壁板３２として、嵌合部２３で基板１３の溝２４に嵌める。
嵌合部２３を溝２４に嵌めたとき、底縁部１２ａの底面１２ｂ，１２ｃは、基板１３の突出面１３ａおよび溝２４の上に載る。このとき、各溝２４が壁構成板１１および壁構成板１２の嵌合部２３を厚さ方向で嵌合可能に設けられているため、内壁板３１および外壁板３２を容易に嵌めることができる。各溝２４が、基本長さの間隔で縦方向および横方向に格子状に設けられているため、建築用の設計図面に合わせて内壁板３１および外壁板３２を嵌めることができる。また、各溝２４に嵌めた内壁板３１および外壁板３２を、各溝２４に沿って移動させることもできる。
【００２７】
さらに、図４に示すように、内壁板３１および外壁板３２に、窓に対応する位置に窓用穴１４ａを有する壁シート１４を貼る。このとき、各壁構成板１１，１２が透明なアクリル樹脂板から成るため、実際の窓と同じように透明な窓にすることができる。このため、窓からの視界や窓の位置を容易に確認することができ、光源を太陽に見立てて入射光をシミュレートすることもできる。また、壁シート１４の表面に壁の模様が印刷されているため、より臨場感のある建築模型を組み立てることができる。壁シート１４が着脱可能であるため、壁の色合わせや模様合わせをすることもできる。
【００２８】
このように、建築模型組立セットは、各壁構成板１１，１２を複数種類の大きさの内壁板３１および外壁板３２に分割することができ、何度でも内壁板３１および外壁板３２を基板１３の溝２４に嵌めたり溝２４から外したりすることができるため、間取りを自由に変えて、様々なレイアウトの建築模型を組み立てることができる。これにより、打ち合わせ時などに、建築模型を使用して様々なレイアウトを検討することができる。
【００２９】
また、各壁構成板１１，１２が、建築物の間取りの最小長さ単位に対する基本長さの縮尺により、それぞれ実際の建物の内壁の厚さおよび外壁の厚さに対応した厚さで形成されているため、さらに臨場感のある建築模型を組み立てることができる。基板１３を任意の基板用切込２５で割ることにより、組み立てられた建築模型の大きさを容易に変えることができる。
【００３０】
各壁構成板１１，１２は、隣り合う内壁板３１または外壁板３２を互いに接続可能に構成されていてもよい。基板１３は、各基板用切込２５で分割した部分を、任意に並べ換えて互いに接続可能に構成されていてもよい。この場合、基板１３の平面形状を変えることができる。各壁構成板１１，１２および基板１３は、板割部材１５を使用せず、手やラジオペンチ等により割ってもよい。基板１３の表面に、床の模様や色、間取りなどが印刷された床シートを貼り付けてもよい。この場合、建築模型の臨場感をさらに高めることができる。なお、建築模型組立セットは、建築物の新築時のみならず、リフォーム時に使用されても効果的である。
【００３１】
また、建築模型組立セットは、おもちゃ、都市計画モデル、ビル風のシミュレーション用モデル等としても、使用することができる。壁シートや床シートを色分けして、部屋をコーディネートすることもできる。部屋の内側に照明をつけたり、部屋の中に照明による擬似的な暖炉を取り付けたりして、見栄えを良くすることもできる。また、部屋の中でのタバコの煙の流れを調べたり、水の中に入れて部屋の中での空気の対流を水の対流に置き換えて調べたりすることもできる。
【図面の簡単な説明】
【００３２】
【図１】本考案の実施の形態の建築模型組立セットの内壁用の壁構成板を示す（ａ）左側面図、（ｂ）平面図、（ｃ）正面図である。
【図２】本考案の実施の形態の建築模型組立セットの外壁用の壁構成板を示す（ａ）左側面図、（ｂ）平面図、（ｃ）正面図である。
【図３】本考案の実施の形態の建築模型組立セットの基板を示す（ａ）平面図、（ｂ）右側面図、（ｃ）正面図である。
【図４】本考案の実施の形態の建築模型組立セットの（ａ）壁構成板に壁シートを貼るときの使用状態を示す斜視図、（ｂ）壁構成板に壁シートを貼った使用状態を示す斜視図である。
【図５】本考案の実施の形態の建築模型組立セットの（ａ）板割部材を示す平面図、（ｂ）板割部材の使用状態を示す平面図、（ｃ）板割部材を二つ折りにしたときの使用状態を示す平面図、（ｄ）板割部材を二つ折りにしたときの使用状態を示す右側面図、（ｅ）板割部材を四つ折りにするときの使用状態を示す正面図である。
【図６】本考案の実施の形態の建築模型組立セットの内壁用の壁構成板および基板の使用状態を示す（ａ）斜視図、（ｂ）正面図、（ｃ）平面図である。
【図７】本考案の実施の形態の建築模型組立セットの外壁用の壁構成板および基板の使用状態を示す（ａ）斜視図、（ｂ）正面図である。
【符号の説明】
【００３３】
１１，１２  壁構成板
１３  基板
１４  壁シート
１５  板割部材
２１，２２  切込
２３  嵌合部
２４  溝
２５  基板用切込
２６  第１谷線部
２７  第２谷線部
２８  折曲孔
２９  板材
３０  目盛
３１  内壁板
３２  外壁板
【図１】
0003119923.tif 000003
【図２】
0003119923.tif 000004
【図３】
0003119923.tif 000005
【図４】
0003119923.tif 000006
【図５】
0003119923.tif 000007
【図６】
0003119923.tif 000008
【図７】
0003119923.tif 000009